(57)【要約】【課題】  浴室内から室内空間内の人や物を見ることができ、開放感が得られる浴室構造を提供する。【解決手段】  室内空間１の一部に設けられた浴室２の室内１に接する壁面のうち、Ｌ字状を形成する２面がガラス面６ａで構成され、ガラス面６ａ側に浴槽５が設置されて、浴槽５は防水パン１２上に設置され、浴槽５のフランジ部５ａの付近まで立ち上がる高さの架台１４ａが、防水パン１２から延設され、且つ防水パン１２の浴槽載置面の高さより高い位置に設けられた防水層１３ａ上に設置されて、架台１４ａの上面に、浴槽のフランジ部５ａとガラス面６ａが載るように構成されている。【選択図】  図９
2006104715.tif 000002
【特許請求の範囲】
【請求項１】
室内空間の一部に設けられた浴室において、前記室内に接する浴室壁面のうちＬ字状を形成する２面がガラス面で構成され、該ガラス面側に浴槽が設置されていることを特徴とする浴室構造。
【請求項２】
前記ガラス面の下方位置に、浴槽のフランジ部付近まで立ち上がる高さの架台が設置されてなり、該架台上面に前記浴槽のフランジ部と前記ガラス面が載るように構成されていることを特徴とする請求項１に記載の浴室構造。
【請求項３】
前記浴槽は、防水パン上に設置され、前記ガラス面または前記架台は、前記防水パンから延設され、且つ前記防水パンの浴槽載置面の高さより高い位置に設けられた防水層に設置されていることを特徴とする請求項１または請求項２に記載の浴室構造。
【請求項４】
前記ガラス面または前記架台は、前記室内の前記浴槽を除く床に支持されていることを特徴とする請求項１または請求項２または請求項３に記載の浴室構造。
【請求項５】
前記浴槽のフランジ部の外縁と前記ガラス面との間の空間が、板状物で覆われていることを特徴とする請求項１または請求項２または請求項３または請求項４に記載の浴室構造。
【請求項６】
前記架台上面が前記室内空間側に露出していることを特徴とする請求項１または請求項２または請求項３または請求項４または請求項５に記載の浴室構造。
【発明の詳細な説明】
【技術分野】
【０００１】
本発明は、室内空間の一部に設けられた浴室に関するものである。
【背景技術】
【０００２】
従来、特許文献１に開示されているように、壁部の一面が屋外に臨む窓部となっており、また、窓部と交わる他の壁部が、隣の寝室とを区画する透明板で構成されたユニットバスルームが存在する。
【特許文献１】実公平４−１４６０５号公報
【発明の開示】
【発明が解決しようとする課題】
【０００３】
上記構造のユニットバスルームでは、壁部の一面が屋外に臨む窓部を構成しており、室内空間の一部に設けられた浴室ではなく、室内空間内の人や物を浴室側から見ることはできず、また窓部と浴槽の周縁との間に隙間ができて、この部分に水が入り易いという問題点があった。
【課題を解決するための手段】
【０００４】
本発明は上記従来の問題点に鑑み案出したものであって、室内空間内の人や物を浴室内から良好に見ることができて、開放感が得られるとともに、水処理が簡単に行える浴室構造を提供するものであり、その請求項１は、室内空間の一部に設けられた浴室において、前記室内に接する浴室壁面のうちＬ字状を形成する２面がガラス面で構成され、該ガラス面側に浴槽が設置されていることである。
【０００５】
また請求項２は、前記ガラス面の下方位置に、浴槽のフランジ部付近まで立ち上がる高さの架台が設置されてなり、該架台上面に前記浴槽のフランジ部と前記ガラス面が載るように構成されていることである。
【０００６】
また請求項３は、前記浴槽は、防水パン上に設置され、前記ガラス面または前記架台は、前記防水パンから延設され、且つ前記防水パンの浴槽載置面の高さより高い位置に設けられた防水層に設置されていることである。
【０００７】
また請求項４は、前記ガラス面または前記架台は、前記室内の前記浴槽を除く床に支持されていることである。
【０００８】
また請求項５は、前記浴槽のフランジ部の外縁と前記ガラス面との間の空間が、板状物で覆われていることである。
【０００９】
また請求項６は、前記架台上面が前記室内空間側に露出していることである。
【発明の効果】
【００１０】
本発明は、室内空間の一部に設けられた浴室において、室内に接する浴室壁面のうちＬ字状を形成する２面がガラス面で構成され、ガラス面側に浴槽が設置されていることにより、浴室の２方向に室内空間が接しているため、室内空間内の人や物を見ることができ、開放感が得られ、室内空間内の時計，テレビ等も浴室内から良好に見ることができるものとなる。
【００１１】
また、ガラス面の下方位置に、浴槽のフランジ部付近まで立ち上がる高さの架台が設置されてなり、架台上面に浴槽のフランジ部とガラス面が載るように構成されていることにより、架台の上面に浴槽のフランジ部とガラス面が載ることで、視界を遮ることなくガラス面と浴槽との間の水処理が簡単に行えるものとなる。
【００１２】
また、浴槽は、防水パン上に設置され、ガラス面または架台は、防水パンから延設され、且つ防水パンの浴槽載置面の高さより高い位置に設けられた防水層に設置されていることにより、防水層が防水パンの浴槽載置面よりも高い位置にあるため、防水パン上に水が溜まった時でも、確実に防水することができ、防水の設計が複雑になることなく、止水構造を簡易なものとすることができる。
【００１３】
また、ガラス面または架台は、室内の浴槽を除く床に支持されていることにより、ガラス面の荷重が床によって支持されるので、防水パンへの荷重負担が小さくなり、その分、防水パンの設計を自由に行うことができるものとなる。
【００１４】
また、浴槽のフランジ部の外縁とガラス面との間の空間が板状物で覆われていることにより、浴槽のフランジとガラス面との間の空間を活用して、物等を置くことができるものとなる。
【００１５】
また、架台上面が室内空間側に露出していることにより、室内空間側の架台上に物を置くことができ、この物を浴室内から良好に見ることができ、例えばテレビ等を置くことにより、防水型のテレビでなくても良好に浴室内から見ることができるものとなる。
【実施例】
【００１６】
以下、本発明の実施例を図面に基づいて説明する。
図１は、室内空間のコーナー部に設けられた浴室の概略平面構成図である。
例えば、リビングルーム等の室内空間１のコーナー部に設置される浴室２は、入口ドア３側に洗い場４が形成され、浴槽５の室内空間１側に接するＬ字状をなす２面がガラス面６ａ，６ｂで構成されて、浴室２内から室内空間１内の人や物、例えばリビングルーム内に設置されているテレビや時計等を浴室２内から見ることができるように構成されている。
【００１７】
図９の縦断面拡大構成図で示すように、室内空間１は、基礎８上に土台９を介して根太１０が横設され、根太１０の上面に床下地合板１１が敷設されて床面が構成されており、浴室２の部分は凹み状にスラブ面７となっており、スラブ面７上に防水パン１２を設置して浴室２が構築されるものである。
なお、図９では、木造の１階に設置する場合を例示しているが、ＲＣ造、あるいは２階に設置される場合も、室内空間側は床下地合板１１が敷設されて床面が構成され、浴室２の部分は凹み状に形成されて、防水パン１２がその部分に設置されて浴室２が構築される。
【００１８】
施工手順を順次説明すると、図２は、例えば木造の１階に設置する場合であり、スラブ面７上に防水パン１２を設置した状態の斜視構成図であり、防水パン１２には、入口ドア３側の洗い場面１２ｂと、浴槽を設置するための浴槽設置面１２ｃが形成され、外周側には立ち上げて外周片１２ａが形成されている。この防水パン１２の外周片１２ａと、室内空間１の床下地合板１１との境目を塞ぐために、室内空間１側から防水テープ１３ａと１３ｂがＬ字状に貼設される。
なお、奥側の壁１ａと防水パンの外周片１２ａ間は、調整材，防水紙，セメントボードを施工して処理される。
【００１９】
次に、図３の斜視図で示すように、防水パン１２の浴槽設置面１２ｃ側の外周の防水テープ１３ａ及び１３ｂ上に、複数の架台１４ａ，１４ｂ，１４ｃが設置されて、この架台１４ａ，１４ｂ，１４ｃは、それぞれビス１７により床下地合板１１に固定される。
【００２０】
なお、架台１４ａは、例えば図４の斜視図で示すような構造となっており、底面板１５ａの両端側に立ち上げて側面板１５ｂ，１５ｂが立設され、この側面板１５ｂと平行状に中央部には縦補強板１５ｃが立設されており、防水パン１２側の裏面には背面板１５ｄが設けられて、上面には上面板１５ｆが設けられている。なお、室内空間１側に突出するヒサシ部１５ｅが、上面板１５ｆの下部に形成されている。
なお、浴槽設置面１２ｃの短尺側に設置される架台１４ｃには、ヒサシ部１５ｅが存在しないものとなっている。
また、浴槽設置面１２ｃの長尺側に設置されるヒサシ部１５ｅを備えた架台１４ａ，１４ｂの前面には、床下地合板１１上にスペーサー１６が横設される。
【００２１】
次に、図５に示すように、防水パンの浴槽設置面１２ｃ上に浴槽５が設置される。
次に、図６に示すように、架台１４ａ，１４ｂ，１４ｃの上面板１５ｆ上に、Ｌ字状にガラスフレーム１８が配置され、このガラスフレーム１８は架台１４ａ，１４ｂ，１４ｃにビス止めにより固定される。
なお、ガラスフレーム１８は、上面が開放されたコの字状断面に形成されており、上方よりガラス面６ａ，６ｂを構成するガラス板を嵌め込みできるものである。即ち、ガラスフレーム１８には、ガラス板を差し込むことのできる上向きに開放されたガラス差込溝１８ａが形成されている。
【００２２】
次に、図７に示すように、架台１４ａ，１４ｂの室内空間１側に、前面下地材１９ａが接着剤とビスにより架台１４ａ，１４ｂに立設状に固定される。更に、前面下地材１９ａと交差状に、架台１４ｃの室内空間１側にも、側面下地材１９ｂが立設固定される。
この下地材１９ａ，１９ｂは、例えばセメント板に断熱材を一体化させた構造のものを用いることができる。
【００２３】
続いて、図８に示すように、架台１４ａ，１４ｂ，１４ｃの上面に、室内空間１側には上面下地材１９ｃが水平状に固定され、ガラスフレーム１８よりも浴室２側には、浴室側上面下地材１９ｄが水平状に固定される。
【００２４】
なお、図９の断面図で示すように、前面下地材１９ａ，側面下地材１９ｂ，上面下地材１９ｃ及び浴室側上面下地材１９ｄの表面には、タイル２０が貼着されて仕上げられることとなる。
なお、タイルに代えて、塗り材，木，石，樹脂パネル，鋼板パネル，樹脂シート，モルタル，ガラス等の仕上げ材を用いても良い。
なお、ガラスフレーム１８内にガラス面６ａ，６ｂを構成するガラス板を差し込む際には、ガラスフレーム１８内の底側にゴム等を介在させておいて差し込むことができ、またガラスフレーム１８の内周と差し込まれたガラス板間は、シール材によりシールされるものである。
【００２５】
また、図９に示すように、ガラス面６ａ，６ｂの浴室２側では、タイル２０の上面に浴槽５のフランジ部５ａがシールＣにより水密状に載置される。なお、この浴槽のフランジ部５ａとガラス面６ａ，６ｂとの間は、浴室側上面下地材１９ｄと、その上面のタイル２０で覆われた浴室側載置面Ｐ１を形成しており、この浴室側載置面Ｐ１の上には、浴室２側から物を置くことができるものである。
また、一方、ガラス面６ａから室内空間１側へ水平状に突出して、上面下地材１９ｃとその上面のタイル２０による室内側載置面Ｐ２が露出して形成されており、この室内側載置面Ｐ２の上面にテレビ等のものを置くことができるものである。
【００２６】
なお、図９に示すように、浴槽５と架台１４ａ，１４ｂ，１４ｃの裏面間には、エプロン空間Ｅが形成され、このエプロン空間Ｅ内に配管等を配設することができるものである。
このように、浴槽５の室内空間１と接する側に、浴槽５のフランジ部５ａの付近まで立ち上がる高さの架台１４ａ，１４ｂ，１４ｃが設置され、この架台１４ａ，１４ｂ，１４ｃの上面に、浴槽のフランジ部５ａとガラス面６ａ，６ｂが載る構成であるため、ガラス面６ａ，６ｂと架台１４ａ，１４ｂ，１４ｃとの隙間、及びガラス面６ａ，６ｂと浴槽のフランジ部５ａ間の隙間の水処理が簡単に行えて、良好な水密構造にすることができるものであり、浴槽２内の湿気が室内空間１側に漏れ出るようなこともない。
【００２７】
また、浴槽５の室内空間１側のＬ字状をなす２面がガラス面６ａ，６ｂで構成されているため、浴室２側から室内空間１内の人や物を良好に見ることができ、開放感を感じることができるものとなり、浴室２内から室内空間１内に設置されている時計，テレビ等を良好に見ることができるものとなる。
なお、室内側載置面Ｐ２上に、例えば浴室２側へ向けてテレビをおけば、テレビが防水使用のものでなくても、良好に浴室２内からこのテレビを見ることができるものとなる。
【００２８】
なお、図１０の要部縦断面構成図で示すものは変更例であり、図１０では、架台１４ａ，１４ｂのヒサシ部１５ｅの前面に、前面下地材１９ａを固設するとともに、ヒサシ部１５ｅの底側に裏面下地材１９ｅを固設し、この裏面下地材１９ｅの奥側に、更に奥面下地材１９ｆを固設したものであり、裏面下地材１９ｅと奥面下地材１９ｆにより、ヒサシ部１５ｅの下方に凹み状の収納空間Ｓが形成されることとなり、この収納空間Ｓは室内空間１側に開放された空間となり、室内空間１側からこの収納空間Ｓ内に、例えばリビングルーム内で使用するものを良好に収納させておくことができ、良好な収納スペースが確保できるものとなる。
【００２９】
更に図１１では、奥面下地材１９ｆに代えて点検口蓋２１を立設固定させたものであり、この点検口蓋２１は着脱可能に構成しておけば、必要に応じこの点検口蓋２１を取り外して、室内空間１側から架台１４ａ，１４ｂに貫通形成されている開口Ｋ内に手を入れて、エプロン空間Ｅ内の配管等の点検を良好に行うことができるものとなる。
【図面の簡単な説明】
【００３０】
【図１】室内空間の一部に浴室が設置された平面概略構成図である。
【図２】浴室を施工するに際し、先ず防水パンと防水テープを設置した状態の斜視構成図である。
【図３】防水パンの外周の防水テープ上にＬ字状に複数の架台を立設させた状態の斜視構成図である。
【図４】架台の一例を示す斜視構成図である。
【図５】複数の架台の浴室側に浴槽を設置した状態の斜視構成図である。
【図６】ガラスフレームを複数の架台上にＬ字状に固設した状態の斜視構成図である。
【図７】複数の架台の室内空間側に下地材を立設させた状態の斜視構成図である。
【図８】架台の上面に上面下地材及び浴室側上面下地材を設置した状態の斜視構成図である。
【図９】浴室と室内空間との接する部分の施工状態の要部縦断面拡大構成図である。
【図１０】図９の変更例を示し、収納空間を形成させた場合の施工状態の要部縦断面構成図である。
【図１１】更に変更例を示し、着脱可能な点検口蓋を設置した場合の要部縦断面構成図である。
【符号の説明】
【００３１】
１  室内空間
１ａ  壁
２  浴室
３  入口ドア
４  洗い場
５  浴槽
５ａ  フランジ部
６ａ，６ｂ  ガラス面
１１  床下地合板
１２  防水パン
１２ａ  外周片
１２ｂ  洗い場面
１２ｃ  浴槽設置面
１３ａ，１３ｂ  防水テープ（防水層）
１４ａ，１４ｂ，１４ｃ  架台
１５ｆ  上面板
１５ｅ  ヒサシ部
１６  スペーサー
１７  ビス
１８  ガラスフレーム
１９ａ  前面下地材
１９ｂ  側面下地材
１９ｃ  上面下地材
１９ｄ  浴室側上面下地材
１９ｅ  裏面下地材
１９ｆ  奥面下地材
２０  タイル(仕上げ材)
２１  点検口蓋
Ｅ  エプロン空間
Ｋ  開口
Ｐ１  浴室側載置面
Ｐ２  室内側載置面
Ｓ  収納空間
【図１】
2006104715.tif 000003
【図２】
2006104715.tif 000004
【図３】
2006104715.tif 000005
【図４】
2006104715.tif 000006
【図５】
2006104715.tif 000007
【図６】
2006104715.tif 000008
【図７】
2006104715.tif 000009
【図８】
2006104715.tif 000010
【図９】
2006104715.tif 000011
【図１０】
2006104715.tif 000012
【図１１】
2006104715.tif 000013